(57)【特許請求の範囲】
【請求項１】
ロータリ変速装置の切換操作で進退する切換ロッドを一端に枢結した第１アームと、下方に垂下する抵抗棒の上端を枢結した第２アームを、ロータリカバーの上面に立設したブラケットにそれぞれ枢着し、上記第１アームと第２アームは、切換ロッドの進退作動に連繋して抵抗棒の上下固定位置を変更する連動状態と、当該切換ロッドの進退作動に関わらず抵抗棒の上下固定位置を変更する非連動状態に接離可能に連結されていることを特徴とするロータリ耕耘機。
【発明の詳細な説明】
【０００１】
【発明の属する技術分野】
本発明は、ロータリ変速装置による耕耘爪の正逆回転切換えに連繋して上下動する抵抗棒を備えたロータリ耕耘機に関するものである。
【０００２】
【従来の技術】
従来、伝動ケースから左右に延出した駆動軸に耕耘爪をそれぞれ装備して耕耘作業を行うロータリ耕耘機では、硬い耕盤の圃場における正転耕耘作業中に発生し易い機体後部の跳ね上がり、いわゆる機体のダッシングを防止するため、図１０に示すように、ロータリ変速レバーＡの変速切換操作に連繋して上下動する抵抗棒Ｄを備えて、ロータリ変速レバーＡを中立位置ｃから正転耕耘位置ａに切換操作した際には、実線矢印方向に移動する切換ロッドＢおよびアームＣを介して抵抗棒Ｄが下動し、その下端が中立のｃ´位置からａ´位置まで土中に進入することにより機体のダッシングを防止すると共に、休耕田や荒れ地等の砕土作業を行う場合に、ロータリ変速レバーＡを中立位置ｃから逆転耕耘位置ｂに切換操作した際には、点線矢印方向に移動する切換ロッドＢおよびアームＣを介して抵抗棒Ｄを上動し、その下端をｃ´位置からｂ´位置まで退避するようになっている。
【０００３】
しかしながら、上述の従来構成ではロータリ変速レバーＡと抵抗棒Ｄとが常時に連動連結状態を保持しているため、抵抗棒Ｄが圃場の草木、泥土等で上下動不可の状態になると、該変速レバーＡによるロータリ変速装置の切換操作までもが不可能になり、円滑な圃場作業を遂行できなくなる惧れを内包する、という改善の余地を残すものであった。
【０００４】
【発明が解決しようとする課題】
本発明は、上記の如き実状に鑑みロータリ耕耘機の使い勝手を向上させる研究、開発の課程で創案されたものであって、その目的とするところは、ロータリ変速装置の切換操作で抵抗棒の上下固定位置を自動的に設定する連動構成を有するものでありながら、当該連動構成における圃場作業で、抵抗棒が圃場の草木、泥土等で上下動不可となり、ロータリ変速装置の切換操作ができなくなった場合でも、連動構成を解除する事によって、容易に切換操作可能な操作状態に復帰させることができ、円滑な耕耘作業を遂行することができるロータリ耕耘機を提供しようとするものである。
【０００５】
【課題を解決するための手段】
課題を解決するため、本発明が採用した技術的手段は、ロータリ変速装置の切換操作で進退する切換ロッドを一端に枢結した第１アームと、下方に垂下する抵抗棒の上端を枢結した第２アームを、ロータリカバーの上面に立設したブラケットにそれぞれ枢着し、上記第１アームと第２アームは、切換ロッドの進退作動に連繋して抵抗棒の上下固定位置を変更する連動状態と、当該切換ロッドの進退作動に関わらず抵抗棒の上下固定位置を変更する非連動状態に接離可能に連結されていることを特徴とするものである。
【０００６】
【発明の実施の形態】
本発明の構成を、図面に示した一実施例について詳細に説明する。
図１および図２において、１はロータリ耕耘機であって、該ロータリ耕耘機１は、前部にエンジン２を搭載し、かつ左右の車輪３、３を軸支する機体フレーム４の後部に、ロータリ耕耘部５が設けられていると共に、上記機体フレーム４から後方上方に向けて延設した運転操作ハンドル６、６の把持部７、７に、主クラッチレバー８、デフロックレバー９、走行変速レバー１０等を装着し、更に上記運転操作ハンドル６、６間の前方中央には、図示しないロータリ変速装置の切換操作を行う前後傾動自在なロータリ変速レバー１１が後傾状に斜設されており、その正転耕耘位置ａ、逆転耕耘位置ｂおよび中立位置ｃに対応する切欠き溝部１２、１３、１４を穿設した切換パネル１５が機体フレーム４の上面に設けられてロータリ耕耘機１が構成されている。
【０００７】
上記ロータリ耕耘部５は、図３に示すように、耕耘爪１６、１６を放射状にそれぞれ取着した駆動軸１７、１７を、機体中央に配設される伝動ケース１８の左右側方に延出し、前記ロータリ変速レバー１１の切換操作により切り換えられたエンジン２の回転動力を伝動ケース１８から駆動軸１７、１７に伝達して耕耘爪１６、１６を正逆回転駆動し、かつ当該各耕耘爪１６、１６の回転外周域は、機体の左右方向に架設したロータリカバー１９で包覆されている。
【０００８】
そして上記ロータリカバー１９の上面中央に立設したブラケット２０には、前記ロータリ変速レバー１１の前後傾動に連繋して進退する切換ロッド２１が第１アーム２２を介して枢結され、また上記ロータリカバー１９を上下に貫通して伝動ケース１８の後面に臨む抵抗棒２３が、第２アーム２４を介してブラケット２０に枢結されており、上記第１アーム２２と第２アーム２４とを、切換ロッド２１の進退作動、すなわちロータリ変速レバー１１の切換操作に連繋して抵抗棒２３の上下固定位置を変更する連動状態と、該切換ロッド２１の進退作動に関わらず抵抗棒２３を所定の上下固定位置に変更する非連動状態に接離可能に構成して上記抵抗棒２３の下方への出没作動を制御することにより、伝動ケース１８の下方位置での耕起作動の有無を切り換えるようになっている。２５は後方への泥土の飛散を防止するリヤカバー、２６は耕起面を均平する上下位置固定自在の均平板である。
【０００９】
次に、上記ブラケット２０を介した第１アーム２２と第２アーム２４との連動連結構成について詳述する。
図４において、ロータリカバー１９の上面中央に立設されるブラケット２０は、第１アーム２２と第２アーム２４とを同軸状に軸支する支持孔２７の後方に、該支持孔２７の中心位置から同距離を隔てて上部固定孔２８と下部固定孔２９を穿設し、当該各固定孔２８、２９間に長溝部３０を連通状に穿設して構成されると共に、第１アーム２２は略三角形状に形成され、前部側に切換ロッド２１を枢結する係止孔３１を設け、かつ後部側に上記ブラケット２０に穿設した各固定孔２８、２９と同径の連結孔３２が設けて構成されており、支持孔３３を介してブラケット２０に軸支される。
【００１０】
一方第２アーム２４は、図５および図６に示すように、前部にブラケット２０への支持孔３４を穿設したアーム本体２４ａの後半部を平面視でＹ字状に分岐形成し、該部位間に進入した抵抗棒２３の上端を枢結する係止孔３５、３５を穿設して構成されると共に、上記アーム本体２４ａの略中央部位には、圧縮弾機３６およびこれに付勢される係止ボール３７を内装した切換機構部３８と貫通孔３８ａが併設されており、図６に示すように、上記係止ボール３７が臨むボール溝３８ｂ、３８ｃを外周域に備えた連動切換杆３９を切換機構部３８の貫通孔３８ａを貫通して設けることにより、該連動切換杆３９の先端に設けた円盤状の係止ピン４０を、ボール溝３８ｂ、３８ｃで位置決めされる突出位置と縮入位置とに切り換えるようになっている。４１は連動切換杆３９の後端に設けられて、該切換杆３９を押し引きする切換ノブである。
【００１１】
なお、図４および図５に示すように、ブラケット２０の支持孔２７と各固定孔２８、２９の中心間距離、第１アーム２２の支持孔３３と連結孔３２の中心間距離、第２アーム２４の支持孔３４と貫通孔３８ａの中心間距離は、何れも同一長Ｒで規定されており、上記ブラケット２０、第１アーム２２および第２アーム２４は各支持孔２７、３３、３４を介して同軸状に軸支される。
【００１２】
本発明は叙上の如く構成されているから、ロータリ耕耘機１を使用して通常の耕耘作業を行う準備段階で、図６（ａ）に示すように、第２アーム２４の切換ノブ４１を押し操作して、ブラケット２０の上部固定孔２８または下部固定孔２９を貫通する連動切換杆３９を第１アーム２２側に突出し、その先端の係止ピン４０を該第１アーム２２の連結孔３２に嵌合させると、当該第１アーム２２と第２アーム２４とがブラケット２０の表裏位置で連動連結状態に保持される。
【００１３】
上記連動連結状態で、ロータリ耕耘機１のロータリ変速レバー１１を中立位置ｃから正転耕耘位置ａに切換操作すると、図７（ａ）から同図（ｃ）に示すように、切換ロッド２１が実線矢印方向に移動して第１アーム２２を側面視で時計方向に回動し、連結切換杆３９を介して第１アーム２２に連動連結されている第２アーム２４も同様に回動して抵抗棒２３が下動してその下端が土中に進入することにより機体のダッシングが未然に防止される。
【００１４】
また、ロータリ変速レバー１１を中立位置ｃから逆転耕耘位置ｂに切換操作すると、図７（ａ）から同図（ｂ）に示すように、切換ロッド２１が実線矢印方向に移動して第１アーム２２を側面視で反時計方向に回動し、該第１アーム２２に連動連結されている第２アーム２４も同様に回動して抵抗棒２３が上動し、その下端が土中から上方に退避されることになる。
【００１５】
上述のように、ロータリ変速レバー１１を正転耕耘位置ａあるいは逆転耕耘位置ｂに切換えて耕耘作業を行っている最中に、抵抗棒２３に圃場の草木、泥土等が絡まって上下動不可の状態になると、第１アーム２２、第２アーム２４および切換ロッド２１を介して抵抗棒２３と連動連結されているロータリ変速レバー１１の切換操作も不可能になるが、上記ロータリ変速レバー１１が正転耕耘位置ａにあって抵抗棒２３の上下動が不可となっている場合は、図６（ａ）に示す連動連結状態を保持している状態で、同図（ｂ）に示すように、切換ノブ４１を矢印方向に引張操作して、係止ボール３７とボール溝３８ｃとが係合する位置まで連動切換杆３９を縮入させると、該連動切換杆３９の係止ピン４０が第１アーム２２の連結孔３２から離脱すると共に、図８（ｂ）に示すように、ブラケット２０の下部固定孔２９に係止ピン４０が嵌合し、抵抗棒２３が下動位置に固定されたまま第１アーム２２と第２アーム２４との連動連結状態が解除される。したがって、抵抗棒２３との連動解除でロータリ変速レバー１１の切換操作が可能となるので、該ロータリ変速レバー１１を中立位置ｃに切換えて耕耘爪１６の回転駆動を停止することにより、安全に抵抗棒２３に絡まった草木、泥土等を除去することができる。
【００１６】
また、ロータリ変速レバー１１が逆転耕耘位置ｂにあって抵抗棒２３の上下動が不可となっている場合にも、図８（ａ）に示す上動位置に保持されている第２アーム２４に対して、切換ノブ４１を引張操作して係止ボール３７とボール溝３８ｃとが係合する位置まで連動切換杆３９を縮入させれば、該連動切換杆３９の係止ピン４０が第１アーム２２の連結孔３２から離脱すると共にブラケット２０の上部固定孔２８に係止ピン４０が嵌合し、抵抗棒２３が上動位置に固定されたまま第１アーム２２と第２アーム２４との連動連結状態が解除され、前記と同様の手順で抵抗棒２３に絡まった草木、泥土等を安全に除去することができる。
【００１７】
一方、上記ロータリ変速レバー１１の変速切換操作に抵抗棒２３の上下動を連動させる必要がない耕耘作業の状況、すなわち耕盤の硬い圃場で常に抵抗棒２３を下動状態に保持したまま正転耕耘作業を行う場合や、耕盤の軟らかい圃場で常に抵抗棒２３を上動状態に保持して逆転耕耘作業を行う場合には、予めロータリ変速レバー１１を正転耕耘位置ａまたは逆転耕耘位置ｂに切換えた後に、切換ノブ４１を引張操作して係止ボール３７とボール溝３８ｃとが係合する位置まで連動切換杆３９を縮入させると、該連動切換杆３９の係止ピン４０が第１アーム２２の連結孔３２から離脱し、ロータリ変速レバー１１の正転耕耘位置ａでは、図８（ｂ）に示すブラケット２０の下部固定孔２９に係止ピン４０が嵌合して抵抗棒２３が下動位置に固定されると共に、ロータリ変速レバー１１の逆転耕耘位置ｂでは、図８（ａ）に示すブラケット２０の上部固定孔２８に係止ピン４０が嵌合して抵抗棒２３が上動位置に固定されることになり、図９（ａ）（ｂ）に示すように、切換ロッド２１がロータリ変速レバー１１の切換操作に連繋して進退作動しても、抵抗棒２３は常に下動位置または上動位置に保持される。
【００１８】
したがって、圃場条件により異なるロータリ耕耘機１の作業状態を、ロータリ変速レバー１１と抵抗棒２３との連動あるいは非連動により容易に切り換えることができ、安全で作業効率の高い耕耘作業を円滑に進行させることができる。
【００１９】
【発明の効果】
これを要するに本発明は、ロータリ変速装置の切換操作で進退する切換ロッドを一端に枢結した第１アームと、下方に垂下する抵抗棒の上端を枢結した第２アームを、ロータリカバーの上面に立設したブラケットにそれぞれ枢着し、上記第１アームと第２アームは、切換ロッドの進退作動に連繋して抵抗棒の上下固定位置を変更する連動状態と、当該切換ロッドの進退作動に関わらず抵抗棒の上下固定位置を変更する非連動状態に接離可能に連結されているから、従来のようにロータリ変速装置の切換操作で抵抗棒の上下固定位置を自動的に設定する連動構成を有するものでありながら、当該連動構成における圃場作業で、抵抗棒が圃場の草木、泥土等で上下動不可となり、ロータリ変速装置の切換操作ができなくなった場合でも、連動構成を解除する事によって、容易に切換操作可能な操作状態に復帰させることができ、円滑な耕耘作業を行うことができると共に、圃場作業に移行する前作業で、ロータリ耕耘機の点検、保守や、作業用付加機構等の取付け、交換を行う場合にも、ロータリ変速装置の切換操作とは別に、抵抗棒を独立して上方の固定位置に保持させることにより、当該各作業の邪魔になることがなく作業性を向上させることができる、という極めて有用な新規的効果を奏するものである。
【図面の簡単な説明】
【図１】ロータリ耕耘機の全体側面図である。
【図２】切換パネルの要部平面図である。
【図３】（ａ）はロータリ耕耘部の要部平面図である。
（ｂ）は同上側面図である。
【図４】（ａ）はブラケットの要部側面図である。
（ｂ）は第１アームの要部側面図である。
【図５】（ａ）は第２アームの要部平面図である。
（ｂ）は同上右側断面図である。
（ｃ）は同上側面図である。
【図６】（ａ）は第１アームと第２アームの連動状態を示す要部断面図である。
（ｂ）は第１アームと第２アームの非連動状態を示す要部断面図である。
【図７】（ａ）はロータリ変速レバーの中立位置における抵抗棒の位置を示す要部側面図である。
（ｂ）はロータリ変速レバーの逆転耕耘位置における抵抗棒の位置を示す要部側面図である。
（ｃ）はロータリ変速レバーの正転耕耘位置における抵抗棒の位置を示す要部側面図である。
【図８】（ａ）は抵抗棒を上動位置に固定した状態を示す要部拡大側面図である。
（ｂ）は抵抗棒を下動位置に固定した状態を示す要部拡大側面図である。
【図９】（ａ）は抵抗棒を上動位置に固定した状態を示す要部側面図である。
（ｂ）は抵抗棒を下動位置に固定した状態を示す要部側面図である。
【図１０】（ａ）は従来のロータリ耕耘部の要部平面図である。
（ｂ）は同上側面図である。
【符号の説明】
１      ロータリ耕耘機
１９    ロータリカバー
２０    ブラケット
２１    切換ロッド
２２    第１アーム
２３    抵抗棒
２４    第２アーム
【図１】
0003573654.tif 000002
【図２】
0003573654.tif 000003
【図３】
0003573654.tif 000004
【図４】
0003573654.tif 000005
【図５】
0003573654.tif 000006
【図６】
0003573654.tif 000007
【図７】
0003573654.tif 000008
【図８】
0003573654.tif 000009
【図９】
0003573654.tif 000010
【図１０】
0003573654.tif 000011